(57)【要約】【課題】試料検査システムの使用者に検査漏れがあった事実を確実に知らせ、それによって検査の確実性を向上させることを目的とする。【解決手段】試料を検査する第１の検査装置と、第１の検査装置の検査結果によって動作が決定される第２の検査装置と、第１および第２の検査装置に試料を搬送する搬送装置と、第１および第２の検査装置および搬送装置の動作を制御する制御装置とを備えた試料検査システムであって、制御装置は、第１の検査装置の検査結果の評価を行い、その評価結果に基づいて第２の検査装置の動作を決定するとともに、決定された動作を第２の検査装置が実行できなかった場合に警告を出す試料検査システムを提供する。【選択図】        図１
2004226065.tif 000002
【特許請求の範囲】
【請求項１】
試料を検査する第１の検査装置と、
第１の検査装置の検査結果によって動作が決定される第２の検査装置と、
第１および第２の検査装置に試料を搬送する搬送装置と、
第１および第２の検査装置および搬送装置の動作を制御する制御装置とを備えた試料検査システムであって、
制御装置は、第１の検査装置の検査結果の評価を行い、その評価結果に基づいて第２の検査装置の動作を決定するとともに、決定された動作を第２の検査装置が実行できなかった場合に警告を出す試料検査システム。
【請求項２】
制御装置は、第１の検査装置の検査結果の評価終了までに所定時間が経過してしまった場合に警告を出す請求項１記載の試料検査システム。
【請求項３】
第２の検査装置は、所定時間経過しても制御装置からの動作指令がない場合は、動作しない請求項２記載の試料検査システム。
【請求項４】
第２の検査装置は、所定時間経過しても制御装置からの動作指令がない場合は、予め決められた動作をする請求項２記載の試料検査システム。
【請求項５】
所定時間経過しても制御装置からの動作指令がない場合の第２の検査装置の動作を設定可能である請求項２記載の試料検査システム。
【請求項６】
搬送装置は、所定時間内に制御装置が第２の検査装置に動作指令を出した場合には、試料を第２の検査装置に供給するまで停止する請求項２記載の試料検査システム。
【請求項７】
搬送装置は、所定時間内に制御装置が第２の検査装置に動作指令を出さなかった場合に、試料を第２の検査装置に供給せずに搬送する請求項２記載の試料検査システム。
【請求項８】
搬送装置は、所定時間内に制御装置が第２の検査装置に動作指令を出さなかった場合に、第２の検査装置に予め決められた動作が設定されていれば試料を第２の検査装置に供給し、第２の検査装置に予め決められた動作が設定されていなければ試料を第２の検査装置に供給せずに搬送する請求項２記載の試料検査システム。
【請求項９】
第１の検査装置は血液分析装置であり、第２の検査装置は塗抹標本作成装置である請求項１〜８のいずれか１つに記載の試料検査システム。
【発明の詳細な説明】
【０００１】
【発明の属する技術分野】
本発明は、血液や尿などの試料を効率よく検査するために複数の検査装置が接続された試料検査システムに関する。
【０００２】
【従来の技術】
この発明に関する従来技術としては、次のようなものが知られている。
複数の検体容器が装着された検体ラックを順次、後述の移送部に送出する発送部と、この発送部から送出された検体ラックを移送または停止させる移送部と、この移送部から送出された検体ラックを受け入れて収容する回収部とからなる搬送装置と、この搬送装置の移送部に面して配置された少なくとも１台の血液分析装置および塗抹標本作成装置と、搬送装置、血液分析装置及び塗抹標本作成装置と情報をやりとりし、これらの装置を統括するコントローラとを包含し、各検体容器にはバーコードラベルが貼付され、血液分析装置、塗抹標本作成装置にはバーコードの読取器が備えられており、コントローラが個々の検体に対し塗抹条件を選定できるように設けられていることを特徴とする総合血液検査装置が知られている（例えば、特許文献１）。
【０００３】
【特許文献１】
米国特許第５２０９９０３号明細書
【０００４】
【発明が解決しようとする課題】
上記従来の試料検査システムは、血液分析装置から得られた検査結果をコントローラが評価し、その評価結果によって塗抹標本作成装置が実行すべき動作を決定（動作の決定には塗抹条件の選定および塗抹標本の作成を行うか否かの決定が含まれる）するものである。この試料分析システムによれば、検査の効率化を図ることができる。
上記特許文献１には塗抹標本作成装置の制御については記載されているが、搬送装置の制御については記載されていない。
コントローラが検体ラックの移送または停止を検体容器ごとに判断し、搬送装置に指示するとすれば、試料分析システムは複雑化し、コストアップしてしまう。
一方、コントローラが予め定められたタイミングで検体ラックを移送または停止させるよう搬送装置を制御すれば試料分析システムは簡略化される。
しかし、このように試料分析システムを簡略化した場合、何らかの要因でコントローラでの検査結果の評価に長時間要してしまった場合、本来は塗抹標本を作成すべき試料についての塗抹標本が作成されず、その事実を使用者が見落としてしまう（以下、検査漏れという）可能性がある。
この発明は、搬送装置の制御を複雑化することなく、試料検査システムの使用者に検査漏れがあった事実を確実に知らせ、それによって検査の確実性を向上させることを目的とする。
【０００５】
【課題を解決するための手段】
この発明は、試料を検査する第１の検査装置と、第１の検査装置の検査結果によって動作が決定される第２の検査装置と、第１および第２の検査装置に試料を搬送する搬送装置と、第１および第２の検査装置および搬送装置の動作を制御する制御装置とを備えた試料検査システムであって、制御装置は、第１の検査装置の検査結果の評価を行い、その評価結果に基づいて第２の検査装置の動作を決定するとともに、決定された動作を第２の検査装置が実行できなかった場合に警告を出す試料検査システムを提供するものである。
【０００６】
【発明の実施の形態】
この発明の検査装置によって検査される試料としては、血液や尿などが挙げられる。
この発明の第１の検査装置としては、血球計数装置、血液凝固測定装置、免疫凝集測定装置、生化学分析装置、尿定性分析装置などが挙げられる。
この発明の第２の検査装置としては、塗抹標本作成装置、尿沈渣分析装置などが挙げられる。
【０００７】
この発明において、制御装置は、第１の検査装置の検査結果の評価を行い、その評価終了までに所定時間が経過してしまった場合に警告を出してもよい。
この発明において、制御装置は第１の検査装置、第２の検査装置、または搬送装置の一部となっていてもよい。
この発明において、第２の検査装置は、所定時間経過しても制御装置からの動作指令がない場合は、動作しないようにしてもよいし、予め決められた動作をするようにしてもよい。
この発明において、所定時間経過しても制御装置からの動作指令がない場合の第２の検査装置の動作を設定可能としてもよい。
この発明において、搬送装置は、所定時間内に制御装置が第２の検査装置に動作指令を出した場合には、試料を第２の検査装置に供給するまで停止してもよい。
この発明において、搬送装置は、所定時間内に制御装置が第２の検査装置に動作指令を出さなかった場合に、試料を第２の検査装置に供給せずに搬送してもよい。
また、この発明において、搬送装置は、所定時間内に制御装置が第２の検査装置に動作指令を出さなかった場合に、第２の検査装置に予め決められた動作が設定されていれば試料を第２の検査装置に供給し、第２の検査装置に予め決められた動作が設定されていなければ試料を第２の検査装置に供給せずに搬送してもよい。
【０００８】
実施例
以下、試料検査システムとして、血液分析装置と塗抹標本作成装置が接続された血液検査システムを例にとり、説明する。
血液検査システムの構成と動作の概略
図１は、血液検査システムの平面概略図である。
搬送装置１０は発送部１２、移送部１４、回収部１６からなる。搬送はベルトコンベア方式で行われる。検体ラック２６は１０本の検体容器２８が装着できるような試験管立て状の形状をしている。また、検体ラック２６は、検体容器２８の外壁に自他識別のために貼られたバーコード（検体情報が入力されている）を、ラックの外側から読み取ることができるように、ラックの側面に開口部３０を有している。検体ラック２６の一例として、特開昭６３−２１７２７３号公報中の図４に記載されているものが挙げられる。
【０００９】
使用者によって、検体容器２８が装着された検体ラック２６が発送部１２に縦一列に並べられる。そして、使用者によってスタートスイッチ２５が押されると、ラック全体が図１において下方に前進し、その後、先頭のラックが左方の移送部１４に送出される。
移送部１４に面して、ラックの流れの上流から下流に向かって、血液分析装置（この実施例では、ＸＥ−２１００（シスメックス株式会社製））１８、塗抹標本作成装置（この実施例では、ＳＰ−１００（シスメックス株式会社製））２２が配置される。
【００１０】
移送部１４を移送されるラックは、まず、血液分析装置１８の前で停止させられる。図２は、血液分析装置１８側から移送部１４上の検体ラック２６を見た図である。ベルト３６に乗って図２において左から来た検体ラック２６は当接部材３８に当接し、所定位置で停止させられる。血液分析装置１８の前面部に内蔵されたバーコード読取器１９により、検体容器２８のバーコード（すなわち、検体情報）が読み取られる。
【００１１】
ところで、バーコードラベル３２は常に一定の位置にあるとは限らない。例えば、搬送中に検体容器２８が回転してしまう可能性もある。このように、ラック２６の開口部３０に面してバーコードラベル３２が位置していない場合には、バーコードの読取ができない。そこで、バーコードラベル３２がどの位置にあっても読取ができるようにしておく必要がある。一例として、検体容器２８を回転させながら読取を行う方法がある。図２において、４０は検体容器２８の回転手段の一例である。４２は底部が少しふくらんだゴム製の円柱部材であり、その中心に軸４４が設けられている。軸４４は、支持具４６によりベアリングを介して回転自在に支持されている。軸４４にはさらにプーリ４８が取り付けられ、プーリ４８にタイミングベルト５０が掛けられ、モータ等の駆動（図示せず）により、ゴム製の円柱部材４２が回転可能となっている。この回転手段４０はさらに、他の駆動源（図示せず）により上下に往復直線移動できるようになっている。回転手段４０が下に移動し、ゴム製の円柱部材４２が検体容器２８のゴム栓３４を当接する。ゴム製の円柱部材４２がゆっくり回転することにより、検体容器２８もゆっくり回転する。このように構成すると、簡単にかつ確実にバーコードを読み取ることができる。
【００１２】
バーコードが読み取られた後、当接部材３８が１検体分図２における右へ移動することにより、ラック２６が１検体分横送りされる。血液分析装置１８の試料攪拌部７１（図１０）は、ラック２６から検体容器２８を取り出し、血液分析装置１８の内部に取り込み、検体容器２８を転倒攪拌し、ラック２６に戻す。ラック２６は同様にして、さらに１検体分横送りされ、試料吸引部７２（図１０）は、攪拌された検体容器２８をラック２６から取り出し、血液分析装置１８の内部に取り込み、注射針状の細管（ピペット）によって血液を吸引する。そして、血液分析装置１８によって血液の分析がなされる。ラック２６はこのように１検体分ずつ間欠的に横送りされ、同様の処理が順次なされる。１０検体分、すなわち１ラックの処理が終われば、そのラックはさらに、図１において左方に移送され、塗抹標本作成装置２２においても同様にバーコード読取器２３によるバーコードの読み取り、血液の攪拌、吸引がなされる。バーコード読取器１９で読み取られたバーコードと血液分析装置１８で分析された分析結果は、制御装置であるコントローラ２４に送られ、塗抹標本の作成が必要か、また、どのような条件で塗抹を行えばよいかが決められる。
コントローラ２４の動作については後に詳述する。
【００１３】
次にラック２６は塗抹標本作成装置２２の前に来て停止させられる。塗抹標本作成装置２２前面に設けられたバーコード読取器２３により、１検体ずつバーコードを読み取っていき、その情報はコントローラ２４に送られ、塗抹標本の作成が必要か否かおよび塗抹の条件が計算される。塗抹標本の作成が必要なければ、ラック２６は１検体分だけ横送りされる。塗抹標本の作成が必要であれば血液の攪拌、吸引がなされ、塗抹標本が作成される。１ラックの処理の済んだラックは回収部１６に送入され、回収部１６に並べられる。
【００１４】
血液検査システムにおけるデータの流れ
図３は血液検査システムにおけるデータの流れを示す概略図である。
▲１▼血液分析装置１８で取得された分析結果およびバーコード読取器１９で読み取られた検体情報がコントローラ２４に送られる。検体情報とは、それぞれの検体を特定するための番号（以下、検体ＩＤという）である。
▲２▼取得した分析結果からコントローラ２４が塗抹標本作成の要否および塗抹条件を計算する。
▲３▼バーコード読取器２３で読み取られた検体ＩＤがコントローラ２４に送られる。
▲４▼▲３▼で取得した検体ＩＤと▲２▼での計算結果がコントローラ２４で対応付けられ、それらの情報が塗抹標本作成装置２２に送られる。
なお、コントローラ２４と血液分析装置１８および塗抹標本作成装置２２との間で伝達される信号は、搬送装置１０を経由する。
【００１５】
血液分析装置１８の内部構成
図１０は血液分析装置１８の内部構成を示すブロック図である。
血液分析装置１８は、バーコード読取器１９、検体容器２８を転倒攪拌することにより試料の攪拌を行う試料攪拌部７１、検体容器２８から試料を吸引する試料吸引部７２、吸引した試料に希釈、染色などの処理を施す試料調製部７３、調製された試料を分析する分析部７４、分析部７４で得られた情報から検査結果を算出するとともにバーコード読取器１９から検体ＩＤを入手し、試料攪拌部７１および試料吸引部７２に動作指令を出し、接続ケーブル（ＲＳ２３２Ｃ）を経由して装置外部に情報を出力する制御部７５から構成される。
【００１６】
試料攪拌部７１は、検体容器を保持するハンドクリッパ、ハンドクリッパを上下、前後および回転動作させることによって試料を攪拌するためのハンドクリッパ駆動源などから成る。
試料吸引部７２は、ピペットやピペットを駆動するピペット駆動源、ピペットに圧力を印加する圧力供給部などから成る。
試料調製部７３は、希釈液や染色液を滞留させるチャンバ、チャンバに圧力を印加する圧力供給部、チャンバを接続する流路などから成る。
分析部７４は、フローサイトメータなどから成る。
制御部７５は、ＣＰＵ，ＲＯＭ，ＲＡＭなどから成るマイクロコンピュータから成る。
【００１７】
血液分析装置１８の動作
図１１は血液分析装置１８の動作を示すフローチャートである。
バーコード読取器１９は、搬送装置１０によって搬送されてきた検体容器２８に貼付されているバーコードから検体ＩＤを読み取る。その検体ＩＤは制御部７５に送付される（ステップＳ１００）。
制御部７５は、送付された検体ＩＤから、その検体を検査する必要があるか（その検体がオーダされているか）をコントローラ２４に確認する（ステップＳ１０１）。オーダの確認は、後述する測定項目テーブル（図５）にその検体ＩＤが存在するか否かを確認することによって行われる。
【００１８】
その検体がオーダされていない場合、試料の攪拌、吸引は行われず、搬送装置１０によって、検体ラック２６が１検体分だけ搬送され、次の検体の処理へと移る（ステップＳ１０２，Ｓ１０８）。
その検体がオーダされている場合、試料攪拌部７１によって試料の攪拌が行われる（ステップＳ１０３）。
試料吸引部７２によって攪拌された試料が吸引される（ステップＳ１０４）。
試料調製部７３によって試料の調製が行われる（ステップＳ１０５）。
分析部７４によって試料の分析が行われる（ステップＳ１０６）。
制御部７５によって分析結果を算出し、バーコード読取器１９によって読み取られた検体ＩＤと対応させる。それらの情報はコントローラ２４に接続ケーブル（ＲＳ２３２Ｃ）を経由して送信される（ステップＳ１０７）。
搬送装置１０によって検体ラック２６が１検体分だけ搬送され、次の検体の処理へと移る（ステップＳ１０８）。
【００１９】
コントローラ２４の内部構成
図８はコントローラ２４の内部構成を示すブロック図である。
コントローラ２４は、パーソナルコンピュータで構成され、その内部は、タイマー５１、再検計算部５２、警告出力部５３、指令部５５から成るＣＰＵ，ＲＯＭ，ＲＡＭと、測定項目テーブル５８、正常値テーブル５９、エラーテーブル６０から成るＨＤＤ、キーボードから成る入力部６１、ＣＲＴディスプレイからなる出力部６２などから構成され、各部はＢＵＳ５７で接続されている。
【００２０】
図５は、測定項目テーブル５８の内部構成を示す説明図であり、検体ＩＤと測定項目が対応付けられて記憶されている。
図６は、正常値テーブル５９の内部構成を示す説明図であり、測定項目と正常値の範囲が対応付けられて記憶されている。
図７は、エラーテーブル６０の内部構成を示す説明図であり、検体ＩＤと、その検体についてのエラー（検査漏れ）の有無およびエラーの発生時刻が対応付けられて記憶される。例えば、図７の検体ＩＤ＝Ａ０００２は、１５時３２分３３秒に「タイムオーバー」というエラーが発生したことを示す。
【００２１】
コントローラ２４の動作
図４はコントローラ２４の動作を示すフローチャートである。
バーコード読取器１９によって読み取られた検体ＩＤが血液分析装置１８から送信される（ステップＳ１０）。
ステップＳ１０で取得した検体ＩＤに対応する測定項目を図５にその内容を示す測定項目テーブル５８（図８）から抽出し、血液分析装置１８に送信する（ステップＳ１１）。
血液分析装置１８は、ステップＳ１１で送信された測定項目について分析を行い、その分析結果をコントローラ２４に送信する。コントローラ２４はその分析結果を受信する（ステップＳ１２）。
【００２２】
コントローラ２４はステップＳ１２で受信した分析結果と図６にその内容を示す正常値テーブル５９（図８）とを比較することにより、塗抹標本の作成の要否および塗抹の条件の計算（以下、再検計算という）を開始する（ステップＳ１３）。
この計算は、再検計算部５２によって行われ、分析結果がいずれかの測定項目で正常値範囲を超えていれば塗抹標本の作成が必要とされる。さらに、塗抹の条件はＨｃｔ値によって決定される。塗抹の条件とは、例えば引きガラスの角度やスピードである。
なお、この計算の間に、ラック２６は、血液分析装置１８の前から塗抹標本作成装置２２の前へ移送される。
【００２３】
次に、コントローラ２４は、バーコード読取器２３によって読み取られた検体ＩＤを受信する（ステップＳ１４）。
ステップＳ１４で検体ＩＤを取得した時刻を記憶するとともに、タイマー５１を開始させる（ステップＳ１５）。
再検計算部５２は、タイマー開始から時間Ｔ２が経過しているか否かを確認する（ステップＳ１６）。なお、この実施例では、Ｔ２＝１０秒である。
再検計算部５２は、時間Ｔ２が経過していなければ、再検計算が終了しているか否かを確認する（ステップＳ１８）。再検計算が終了していなければ、再検計算部５２は、時間ｔ２（ｔ２＜Ｔ２である）だけ待機し、再びステップＳ１６，Ｓ１７を実行する。なお、この実施例ではｔ２＝０．５秒である。
【００２４】
ステップＳ１８にて再検計算が終了していれば、再検計算部５２は、塗抹標本作成の要否および塗抹の条件を指令部５５に出力する（ステップＳ１９）。
塗抹標本の作成が必要な場合、指令部５５は、検体ＩＤとその検体は塗抹標本の作成が必要である旨および塗抹の条件を塗抹標本作成装置２２に送信する（ステップＳ２０）。
塗抹標本の作成が不要な場合、指令部５５は、検体ＩＤとその検体は塗抹標本の作成が不要である旨を塗抹標本作成装置２２に送信する（ステップＳ２１）。
【００２５】
ステップＳ１６において時間Ｔ２が経過してしまった場合、警告出力部５３が警告を出力する（ステップＳ２２）。この警告は、再検計算の結果を塗抹標本の作成の有無および条件に反映しないまま、ステップＳ１４で受信した検体ＩＤの検体が塗抹標本作成装置２２を通過してしまったことを使用者に知らせるものである。警告の内容は、後述する動作設定部８８（図１２）の設定が「動作」の場合は、その検体ＩＤの検体は、あらかじめ設定された塗抹条件で塗抹標本が作成された旨であり、設定が「動作しない」の場合は、その検体ＩＤの検体は塗抹標本が作成されなかった旨である。
警告の方法は、ディスプレイに検体ＩＤとともに警告の内容を表示したり、警告音を発生させたりすることが挙げられる。
また、エラーテーブル６０に警告を出力した旨の記録を残す（図７）。この例では、検体ＩＤ＝Ａ０００２の再検計算において時間Ｔ２が経過してしまったことを示しており、「タイムオーバー」というエラー名で記録されている。また、時間Ｔ２が経過してしまった時の時刻も記録されている。
以上で１検体分の動作を終了し、搬送装置１０によって検体ラック２６が１検体分だけ搬送され、次の検体の処理へと移る（ステップＳ２４）。
【００２６】
塗抹標本作成装置２２の内部構成
図１２は塗抹標本作成装置２２の内部構成を示すブロック図である。
塗抹標本作成装置２２は、バーコード読取器２３、検体容器２８を転倒攪拌することにより試料の攪拌を行う試料攪拌部８１、検体容器２８から試料を吸引する試料吸引部８２、吸引した試料から塗抹標本を作成する標本作成機構部８３、各部の動作を制御するとともに、バーコード読取器１９から検体ＩＤを入手し、ＲＳ２３２Ｃを経由して装置外部に情報を出力する制御部７５から構成される。
試料攪拌部８１、試料吸引部８２には血液分析装置１８で使用されているものと同じものが使用できる。
【００２７】
標本作成機構部８３については、その構成が米国特許第５２０９９０３号明細書に詳しく記載されている。
制御部８４は、ＣＰＵ，ＲＯＭ，ＲＡＭなどから成るマイクロコンピュータから成る。
制御部８４にはタイマー８６が内蔵されている。また、制御部８４は動作設定部８８を含み、動作設定部８８はコントローラ２４からの応答が無い場合の標本作成機構部８３の動作を予め記憶する。動作設定部８８は使用者によって設定可能となっており、「動作する」または「動作しない」の設定のみならず、動作する場合の塗抹条件なども設定可能である。
【００２８】
塗抹標本作成装置２２の動作
図９は塗抹標本作成装置２２の動作を示すフローチャートである。
バーコード読取器２３は、搬送装置１０によって搬送されてきた検体容器２８に貼付されているバーコードから検体ＩＤを読み取る。その検体ＩＤは制御部８４に送付される（ステップＳ５０）。
制御部８４は検体ＩＤをＲＳ２３２Ｃを経由してコントローラ２４に送信する（ステップＳ５１）。
制御部８４は、ステップＳ５１で検体ＩＤを送信した時刻を記憶するとともに、タイマー８６を開始させる（ステップＳ５２）。
制御部８４は、タイマー８６の開始から時間Ｔ１（Ｔ１＞Ｔ２である）が経過しているか否かを判別する（ステップＳ５３）。この実施例では、時間Ｔ１＝１２秒である。
【００２９】
制御部８４は、時間Ｔ１が経過していなければコントローラ２４からステップＳ５１で送信した検体ＩＤについての応答の有無を確認する（ステップＳ５４）。
応答が無ければ、時間ｔ１（ｔ１＜Ｔ１である）だけ待機し（ステップＳ５５）、再びステップＳ５３、Ｓ５４を実行する。この実施例では時間ｔ１＝０．１秒である。
コントローラ２４からの応答が、標本作成指令（図４におけるステップＳ２０）の場合、標本作成機構部８３が作動して塗抹標本を作成する（ステップＳ５６，Ｓ５７）。
コントローラ２４からの応答が標本不要伝達（図４におけるステップＳ２１）の場合、標本作成機構部８３は作動せず、次の検体の処理へと移る（ステップＳ５６、Ｓ５９）。
ステップＳ５３において、時間Ｔ１が経過してしまっている場合、動作設定部８８に予め設定された動作を標本作成機構部８８が実行する。すなわち、設定が「動作」の場合は塗抹標本の作成を行い、設定が「動作しない」の場合は塗抹標本の作成を行わない（ステップＳ５８）。なお、設定が「動作」の場合は、動作設定部８８に予め設定された塗抹条件によって塗抹標本の作成が行われる。
以上で１検体分の動作を終了し、搬送装置１０によって検体ラック２６が１検体分だけ搬送され、次の検体の処理へと移る（ステップＳ５９）。
【００３０】
搬送装置１０の内部構成
図１３は、搬送装置１０の内部構成を示すブロック図である。
搬送装置１０は、発送部１２、移送部１４、回収部１６が接続されて構成される。発送部１２は、スタートスイッチ２５、搬送機構部９０、搬送制御部９３、から構成される。移送部１４は、搬送機構部９１、搬送制御部９４、検体ラックセンサ９６から構成される。回収部１６は、搬送機構部９２、搬送制御部９５、検体ラックセンサ９７から構成される。搬送制御部９０，９１，９２はそれぞれ、搬送機構部９３，９４，９５の動作を制御する。搬送制御部９４は、接続ケーブル（ＲＳ２３２Ｃ）を経由して、血液分析装置１８、塗抹標本作成装置２２、コントローラ２４に接続される。すなわち、コントローラ２４からの信号は、搬送制御部９４を経由して血液分析装置１８および塗抹標本作成装置２２に伝達される。
【００３１】
搬送装置１０の動作
図１４は搬送装置１０の動作を示すフローチャートである。
使用者によって検体ラック２６が発送部１２に並べられスタートスイッチ２５が押されると（ステップＳ２００）、搬送制御部９３が搬送機構部９０に動作指令を出し、搬送機構部９０が動作する（ステップＳ２０１）。
検体ラック２６が発送部１４に到着すると、検体ラックセンサ９６が検体ラック２６の到着を搬送制御部９４に検知させ（ステップＳ２０２）、搬送制御部９４が搬送機構部９１に動作指令を出し、搬送機構部９１が動作する（ステップＳ２０３）。
搬送機構部９１は、検体ＩＤの読取および血液分析装置１８への試料の供給のため一旦停止した後、再び動作する（ステップＳ２０４，Ｓ２０５）。
搬送機構部９１は、検体ＩＤの読取のため、塗抹標本作成装置２２の前で一旦停止する（ステップＳ２０６）。
所定時間（コントローラ２４が検体ＩＤを受信してからＴ２）経過までに、搬送制御部９４がコントローラ２４から塗抹標本作成の要否の信号を受信した場合、塗抹標本の作成の要否を判断する（ステップＳ２０７，Ｓ２０８）。
塗抹標本の作成が必要であれば、塗抹標本作成装置２２に試料を供給した後、搬送機構部９１の動作を再開させる（ステップＳ２０９，Ｓ２１１）。
一方、塗抹標本の作成が不要であれば、塗抹標本作成装置２２に試料を供給せずに、搬送機構部９１の動作を再開させる（ステップＳ２０８，Ｓ２１１）。
ステップＳ２０７において、所定時間（コントローラ２４が検体ＩＤを受信してからＴ２）経過までに、搬送制御部９４がコントローラ２４から塗抹標本作成の要否の信号を受信しなかった場合、動作設定部８８（図１２）の設定を確認する（ステップＳ２０７，Ｓ２１０）。
動作設定部８８の設定が「動作」であれば、塗抹標本作成装置２２に試料を供給した後、搬送機構部９１の動作を再開させ（ステップＳ２１０、Ｓ２０９，Ｓ２１１）、「動作しない」であれば、塗抹標本作成装置２２に試料を供給せずに、搬送機構部９１の動作を再開させる（ステップＳ２１０，Ｓ２１１）。
検体ラック２６が回収部１６に到着すると、検体ラックセンサ９７が検体ラック２６の到着を搬送制御部９５に検知させ（ステップＳ２１２）、搬送制御部９５が搬送機構部９２に動作指令を出し、搬送機構部９２が動作し、検体ラック２６が回収される（ステップＳ２１３）。
【００３２】
試料検査システムの他の実施例
この実施例では、第１の検査装置として血液分析装置、第２の検査装置として塗抹標本作成装置を用いて構成したが、この発明はこれに限定されるものではなく、例えば、第１の検査装置として尿定性分析装置、第２の検査装置として尿沈渣分析装置という構成など、様々な構成とすることができる。さらに、第１の検査装置として同種の血液分析装置を複数台接続することも可能であるし、異種の血液分析装置（例えば、血球計数装置と網状赤血球測定装置）を複数台接続することも可能である。
【００３３】
【発明の効果】
この発明によれば、使用者が検査漏れがあった事実を警告によって確実に知ることができるため、確実な検査を実現することができる。しかも搬送装置の制御が複雑化することもない。
【図面の簡単な説明】
【図１】血液検査システムの平面概略図
【図２】血液分析装置１８側から移送部１４上の検体ラック２６を見た図
【図３】血液検査システムにおけるデータの流れを示す概略図
【図４】コントローラ２４の動作を示すフローチャート
【図５】測定項目テーブル５８の内部構成を示す説明図
【図６】正常値テーブル５９の内部構成を示す説明図
【図７】エラーテーブル６０の内部構成を示す説明図
【図８】コントローラ２４の内部構成を示すブロック図
【図９】塗抹標本作成装置２２の動作を示すフローチャート
【図１０】血液分析装置１８の内部構成を示すブロック図
【図１１】血液分析装置１８の動作を示すフローチャート
【図１２】塗抹標本作成装置２２の内部構成を示すブロック図
【図１３】搬送装置１０の内部構成を示すブロック図
【図１４】搬送装置１０の動作を示すフローチャート
【符号の説明】
１０  搬送装置
１２  発送部
１４  移送部
１６  回収部
１８  血液分析装置
１９  バーコード読取器
２２  塗抹標本作成装置
２３  バーコード読取器
２４  コントローラ
２５  スタートスイッチ
２６  検体ラック
２８  検体容器
３０  開口部
３２  バーコードラベル
３４  ゴム栓
３６  ベルト
３８  当接部材
４０  回転手段
４２  円柱部材
４４  軸
４６  支持具
４８  プーリ
５０  タイミングベルト
５１  タイマー
５２  判定部
５３  警告出力部
５５  指令部
５６  受信部
５７  ＢＵＳ
５８  測定項目テーブル
５９  正常値テーブル
６０  エラーテーブル
６１  入力部
６２  出力部
７１  試料攪拌部
７２  試料吸引部
７３  試料調製部
７４  分析部
７５  制御部
８１  試料攪拌部
８２  試料吸引部
８３  標本作成機構部
８４  制御部
８６  タイマー
８８  動作設定部
９０  搬送機構部
９１  搬送機構部
９２  搬送機構部
９３  搬送制御部
９４  搬送制御部
９５  搬送制御部
９６  検体ラックセンサ
９７  検体ラックセンサ
【図１】
2004226065.tif 000003
【図２】
2004226065.tif 000004
【図３】
2004226065.tif 000005
【図４】
2004226065.tif 000006
【図５】
2004226065.tif 000007
【図６】
2004226065.tif 000008
【図７】
2004226065.tif 000009
【図８】
2004226065.tif 000010
【図９】
2004226065.tif 000011
【図１０】
2004226065.tif 000012
【図１１】
2004226065.tif 000013
【図１２】
2004226065.tif 000014
【図１３】
2004226065.tif 000015
【図１４】
2004226065.tif 000016